(57)【要約】  【課題】多様化した電子機器で求められている、操作感の差別化を容易に行うことができる構造にする。  【解決手段】ケース本体２とケースカバー３とで画成された収容室内に、スライダー４の前あるいは後方向の移動とともに伸縮して、スライダー４を中立位置に自動復帰させるための付勢力を生成し、この付勢力をスライダー４に付与可能なコイルばね７を設けるとともに、スライダー４のスライド切り換え操作にクリック感を与える凹部（13ａ〜１３ｂ）と凸部１５とでなるディテント機構の、凸部１５をケースカバー３に設け、凹部（13ａ〜１３ｂ）をスライダー４に設けたスライドスイッチ。【選択図】図３
2007323942.tif 000002
【特許請求の範囲】
【請求項１】
収容室を画成するケース本体およびケースカバーと、前記収容室内にそれぞれ配設されたスライダー，可動接片および固定接片とを備え、中立位置をホームポジションとする前記スライダーを、該中立位置の前あるいは後方向に、前記可動接片とともにスライドさせて、前記可動接片の前記固定接片に対する位置を切り換えるスライドスイッチにおいて、
前記収容室内に、前記スライダーの前あるいは後方向の移動とともに伸縮して、前記スライダーを中立位置に自動復帰させて戻すための付勢力を生成し、この付勢力を前記スライダーに付与可能なコイルばねを設けるとともに、
前記スライダーのスライド切り換え操作にクリック感触を与える凹部と凸部とでなるディテント機構の、前記凸部を前記収容室側に設け、前記凹部を前記スライダー側に形成するようにした、
ことを特徴とするスライドスイッチ。
【請求項２】
上記スライダーに、該スライダーが前方に移動されると上記コイルばねと作用結合して、該コイルばねに、前記スライダーが中立位置に自動復帰するための付勢力を生成させる作用部を設けるとともに、
前記凹部を、前記スライダーが前記中立位置と前側切換位置と後側切換位置にそれぞれ移動切り換えされたときに、その切換位置ごとに前記クリック感触を付与できるようにして、前記スライダー上の位置に設けたことを特徴とする請求項１記載のスライドスイッチ。
【請求項３】
上記スライダーに、該スライダーが前方に移動されると上記コイルばねと作用結合して、該コイルばねに、前記スライダーが中立位置に自動復帰するための戻そうとする付勢力を生成させる作用部を設けるとともに、
前記凹部を、前記スライダーが前記中立位置から前側切換位置に移動切り換えされたときに、その切換位置で前記クリック感触を付与できるようにして、前記スライダー上の位置に設けたことを特徴とする請求項１記載のスライドスイッチ。
【請求項４】
上記スライダーに、該スライダーが後方に移動されると上記コイルばねと作用結合して、該コイルばねに、前記スライダーが中立位置に自動復帰するための付勢力を生成させる作用部を設けるとともに、
前記凹部を、前記スライダーが前記中立位置と前側切換位置と後側切換位置にそれぞれ移動切り換えされたときに、その切換位置ごとに前記クリック感触を付与できるようにして、前記スライダー上の位置に設けたことを特徴とする請求項１記載のスライドスイッチ。
【請求項５】
上記スライダーに、該スライダーが後方に移動されると上記コイルばねと作用結合して、該コイルばねに、前記スライダーが中立位置に自動復帰するための付勢力を生成させる作用部を設けるとともに、
前記凹部を、前記スライダーが前記中立位置から前側切換位置に移動切り換えされたときに、その切換位置でクリック感触を付与できるようにして、前記スライダー上の位置に設けたことを特徴とする請求項１記載のスライドスイッチ。
【請求項６】
上記スライダーに、該スライダーが前方または後方のいずれか一方に移動されると上記コイルばねと作用結合して、該コイルばねに、前記スライダーを中立位置に自動復帰するための付勢力を生成させる作用部を設けるとともに、
前記凹部を、前記スライダーが前記中立位置と前側切換位置と後側切換位置にそれぞれ移動切り換えされたときに、その切換位置ごとに前記クリック感触を付与できるようにして、前記スライダー上の位置に設けたことを特徴とする請求項１記載のスライドスイッチ
。
【請求項７】
上記スライダーに、該スライダーが前方または後方のいずれか一方に移動されると上記コイルばねと作用結合して、該コイルばねに、前記スライダーを自動復帰するための付勢力を生成させる作用部を設けるとともに、
前記凹部を、前記スライダーが前記中立位置に移動切り換えされたときに、その中立位置で前記クリック感触を付与しないようにして、前記スライダー上の位置に設けたことを特徴とする請求項１記載のスライドスイッチ。
【請求項８】
上記凸部を、ケースカバーに、該ケースカバーと一体に設けたことを特徴とする請求項１，２，３，４，５，６または７記載のスライドスイッチ。
【発明の詳細な説明】
【技術分野】
【０００１】
本発明はスライドスイッチに関するものであり、特に、中立位置を中心にして、その前後方向にスライド切り換え可能なスライドスイッチに関するものである。
【背景技術】
【０００２】
一般に、スライドスイッチは、スライダーをスライドさせると、このスライダーに連動して、可動接片が固定接片に対してスライドし、接点切り換えが行われるようになっている。
【０００３】
また、スライドスイッチの中には、スライダーの切り換え時に、操作者に切り換え感触（クリック感）を与えるディテント機構を設けたもの（例えば、特許文献１参照）、設けていないもの、あるいはスライダーを押し込み方向に押し、その後、押力を解くと、スライダーが押し込み前の位置に自己復帰する自動復帰機構を設けたもの、あるいは設けていないもの等がある。しかし、従来では、１つのスライドスイッチの中に、ディテント機構と自動復帰機構とを設けたものは、存在していなかった。
【特許文献１】実開平６−７１３８号公報。
【発明の開示】
【発明が解決しようとする課題】
【０００４】
上述したように、従来のスライドスイッチでは、１つのスライドスイッチの中に、ディテント機構と自動復帰機構とを設けた構造は、存在していなかった。また、近年の多様化した電子機器においては、機能毎に操作感を変える、いわゆる操作感の差別化がスイッチに求められているが、従来のスライドスイッチでは、これらの要望を十分に満足させるものではなかった。
【０００５】
そこで、多様化した電子機器で求められている、操作感の差別化を容易に行うことができる構造にするために解決すべき技術的課題が生じてくるのであり、本発明はこの課題を解決することを目的とする。
【課題を解決するための手段】
【０００６】
本発明は上記目的を達成するために提案されたものであり、請求項１記載の発明は、収容室を画成するケース本体およびケースカバーと、前記収容室内にそれぞれ配設されたスライダー，可動接片および固定接片とを備え、中立位置をホームポジションとする前記スライダーを、該中立位置の前あるいは後方向に、前記可動接片とともにスライドさせて、前記可動接片の前記固定接片に対する位置を切り換えるスライドスイッチにおいて、前記収容室内に、前記スライダーの前あるいは後方向の移動とともに伸縮して、前記スライダーを中立位置に自動復帰させて戻すための付勢力を生成し、この付勢力を前記スライダーに付与可能なコイルばねを設けるとともに、前記スライダーのスライド切り換え操作にクリック感触を与える凹部と凸部とでなるディテント機構の、前記凸部を前記収容室側に設け、前記凹部を前記スライダー側に形成するようにしたスライドスイッチを提供する。
【０００７】
この構成によれば、スライダーを中立位置から前あるいは後側に移動させると、スライダーの移動に連動してコイルばねが伸縮され、このコイルばねに、スライダーを中立位置に自動復帰させる付勢力が生成され、この付勢力でライダーが押し込み前の位置に自己復帰する（自動復帰機能付）。また、スライダーのスライド切り換え操作を行うと、ディテント機構を構成している収容室側の凸部とスライダー側の凹部との係合により、操作者に切り換え感触、すなわちクリック感触が得られる（クリック感触機能付）。
【０００８】
請求項２記載の発明は、上記スライダーに、該スライダーが前方に移動されると上記コイルばねと作用結合して、該コイルばねに、前記スライダーが中立位置に自動復帰するための付勢力を生成させる作用部を設けるとともに、前記凹部を、前記スライダーが前記中立位置と前側切換位置と後側切換位置にそれぞれ移動切り換えされたときに、その切換位置ごとに前記クリック感触を付与できるようにして、前記スライダー上の位置に設けたスライドスイッチを提供する。
【０００９】
この構成によれば、自動復帰機能に加えて、スライダーが中立位置、後側切換位置、前側切換位置にそれぞれ移動されると、その移動された位置で、操作者にクリック感触が得られる。
【００１０】
請求項３記載の発明は、上記スライダーに、該スライダーが前方に移動されると上記コイルばねと作用結合して、該コイルばねに、前記スライダーが中立位置に自動復帰するための戻そうとする付勢力を生成させる作用部を設けるとともに、
前記凹部を、前記スライダーが前記中立位置から前側切換位置に移動切り換えされたときに、その切換位置で前記クリック感触を付与できるようにして、前記スライダー上の位置に設けたスライドスイッチを提供する。
【００１１】
この構成によれば、自動復帰機能に加えて、スライダーが後側切換位置に移動切り換えされたときに、その後側切換位置で、操作者にクリック感触が得られる。
【００１２】
請求項４記載の発明は、上記スライダーに、該スライダーが後方に移動されると上記コイルばねと作用結合して、該コイルばねに、前記スライダーが中立位置に自動復帰するための付勢力を生成させる作用部を設けるとともに、前記凹部を、前記スライダーが前記中立位置と前側切換位置と後側切換位置にそれぞれ移動切り換えされたときに、その切換位置ごとに前記クリック感触を付与できるようにして、前記スライダー上の位置に設けたスライドスイッチを提供する。
【００１３】
この構成によれば、自動復帰機能に加えて、スライダーが中立位置、前側切換位置、後側切換位置にそれぞれ移動切り換えされたときに、その移動された位置で、操作者にクリック感触が得られる。
【００１４】
請求項５記載の発明は、上記スライダーに、該スライダーが後方に移動されると上記コイルばねと作用結合して、該コイルばねに、前記スライダーが中立位置に自動復帰するための付勢力を生成させる作用部を設けるとともに、前記凹部を、前記スライダーが前記中立位置から前側切換位置に移動切り換えされたときに、その切換位置でクリック感触を付与できるようにして、前記スライダー上の位置に設けたスライドスイッチを提供する。
【００１５】
この構成によれば、自動復帰機能に加えて、スライダーが前側切換位置に移動切り換えされたときに、その位置で、操作者にクリック感触が得られる。
【００１６】
請求項６記載の発明は、上記スライダーに、該スライダーが前方または後方のいずれか一方に移動されると上記コイルばねと作用結合して、該コイルばねに、前記スライダーを中立位置に自動復帰するための付勢力を生成させる作用部を設けるとともに、前記凹部を、前記スライダーが前記中立位置と前側切換位置と後側切換位置にそれぞれ移動切り換えされたときに、その切換位置ごとに前記クリック感触を付与できるようにして、前記スライダー上の位置に設けたスライドスイッチを提供する。
【００１７】
この構成によれば、自動復帰機能に加えて、スライダーが中立位置、前側切換位置にそ
れぞれ移動切り換えされたときに、その各位置で、操作者にクリック感触が得られる。
【００１８】
請求項７記載の発明は、上記スライダーに、該スライダーが前方または後方のいずれか一方に移動されると上記コイルばねと作用結合して、該コイルばねに、前記スライダーを自動復帰するための付勢力を生成させる作用部を設けるとともに、前記凹部を、前記スライダーが前記中立位置に移動切り換えされたときに、その中立位置で前記クリック感触を付与しないようにして、前記スライダー上の位置に設けたスライドスイッチを提供する。
【００１９】
この構成によれば、自動復帰機能を備え、かつ切り換え感触のないスイッチが得られる。
【００２０】
請求項８記載の発明は、上記凸部を、ケースカバーに、該ケースカバーと一体に設けたスライドスイッチを提供する。
【００２１】
この構成によれば、ディテント機構用の凸部をケースカバーに設け、ディテント機構用の凹部をスライダーに設けたスライドスイッチが得られる。
【発明の効果】
【００２２】
請求項１記載の発明は、自動復帰機能とクリック感触機能とを組み合わせるこにより、操作感に差別化を持たせた、新しい操作感触を有するスライドスイッチが簡単に得られる。また、ケース本体、ケースカバー、可動接片、固定接片およびコイルばねには変更を加えず、スライダーの形状に変更を加えるだけで、色々と新しい操作感触を有するスライドスイッチを提供することができる。
【００２３】
請求項２記載の発明は、ディテント機構用の凹部の形状を変えたスライダーに変更するだけで、スライダーが中立位置と前側切換位置と後側切換位置にそれぞれ移動切り換えされたときに、その切換位置ごとにクリック感触が得られるスライドスイッチに変更することができる。
【００２４】
請求項３記載の発明は、ディテント機構用の凹部の形状を変えたスライダーに変更するだけで、ライダーが前側切換位置に移動されると、その移動された位置で、操作者にクリック感触が得られるスライドスイッチに変更することができる。
【００２５】
請求項４記載の発明は、ディテント機構用の凹部の形状を変えたスライダーに変更するだけで、スライダーが後側切換位置に移動切り換えされたときに、その切換位置で、操作者にクリック感触が得られるスライドスイッチに変更することができる。
【００２６】
請求項５記載の発明は、ディテント機構用の凹部の形状を変えたスライダーに変更するだけで、スライダーが前側切換位置に移動切り換えされたときに、その切換位置で、操作者にクリック感触が得られるスライドスイッチに変更するだけで、請求項１記載の効果に加えて、さらに安価に提供することができる。
【００２７】
請求項６記載の発明は、ディテント機構用の凹部の形状を変えたスライダーに変更するだけで、スライダーが中立位置、前側切換位置、後側切換位置にそれぞれ移動切り換えされたときに、その移動された各位置で、操作者にクリック感触が得られるスライドスイッチに変更することができる。
【００２８】
請求項７記載の発明は、ディテント機構用の凹部の形状を変えたスライダーを変更するだけで、クリック感触を持たないスライドスイッチに変更することができる。
【００２９】
請求項８記載の発明は、ディテント機構用の凸部をケースカバーに設けることによって、構造を簡略化させることができる。
【発明を実施するための最良の形態】
【００３０】
多様化した電子機器で求められている、操作感の差別化を容易に行うことができる構造にするという目的を達成するために、収容室を画成するケース本体およびケースカバーと、前記収容室内にそれぞれ配設されたスライダー，可動接片および固定接片とを備え、中立位置をホームポジションとする前記スライダーを、該中立位置の前あるいは後方向に、前記可動接片とともにスライドさせて、前記可動接片の前記固定接片に対する位置を切り換えるスライドスイッチにおいて、前記収容室内に、前記スライダーの前あるいは後方向の移動とともに伸縮して、前記スライダーを中立位置に自動復帰させて戻すための付勢力を生成し、この付勢力を前記スライダーに付与可能なコイルばねを設けるとともに、前記スライダーのスライド切り換え操作にクリック感触を与える凹部と凸部とでなるディテント機構の、前記凸部を前記収容室側に設け、前記凹部を前記スライダー側に形成するようにして実現した。
【実施例１】
【００３１】
以下、本発明におけるスライドスイッチの一実施例を、図１〜図４を参照しながら詳細に説明する。
図１〜図４において、スライドスイッチ１は、ケース本体２と、ケースカバー３と、スライダー４と、可動接片としてのコンタクト５と、固定接片６ａ，６ｂ，６ｄおよび共通固定接片６ｃと、コイルばね７により構成される。なお、図１、図２において、紙面に対して「左側」を前側、「右側」を後側とし、図３および図４では、紙面に対して「右側」を前側、「左側」を後側とする。
【００３２】
ケース本体２は、合成樹脂よりなり、図２に示すように、上面が開放の箱形に形成され、その内側には、底面のほぼ左右方向中央に、前後方向に延びるようにして立設されている隔壁２ａと、ケース本体外周内壁２ｂとにより画成されている、各々前後方向に延びる固定接片保持用凹部８およびコイルばね収容凹部９が並設されている。また、ケース本体２の前後の各外側面には、それぞれ左右１対の係止爪１０，１０が設けられている。なお、隔壁２ａの底面からの高さは、ケース本体外周内壁２ｂの高さよりも低く設定されている。
【００３３】
固定接片用保持部８の底面には、図２に示すように、固定接片６ａ、共通固定接片６ｃ、固定接片６ｄ、固定接片６ｂがインサート成形されて、順に前後方向へ一列に並べた状態にして設けられている。
【００３４】
一方、コイルばね収容凹部９には、コイルばね７が前後方向に向けられ、かつ図３に示すように、前後を前側位置決め突起１１ａと後側位置決め突起１１ｂとの間に挟んで位置決めした状態にして、収容配置されている。したがって、コイルばね７は、前端部側が後側位置決め突起１１ｂ側に向かって押されると、後端部が後側位置決め突起１１ｂに位置決めされて全体が収縮し、反対に後端部側が前側位置決め突起１１ａ側に向かって押されると、前端部が前側位置決め突起１１ａに位置決めされて全体が収縮するようにして配置されている。
【００３５】
スライダー４は、合成樹脂材よりなり、図２に示すように、前後方向に延びるブロック状片として形成されており、図３に示すように、ケース本体２とケースカバー３とで画成される収容室１９内に、隔壁２ａ上に底面を載置させて、固定接片保持用凹部８とコイルばね収容凹部９とに跨り、かつ前後方向に移動可能な状態で収容される。
【００３６】
スライダー４の上面には、つまみ１２が、このスライダー４の左右方向一側縁側に偏り、かつ前後方向中間位置から上方に延びるようにして形成されている。また、つまみ１２よりも左右方向他端側へシフトした上面位置には、図２，図４に示すように、前側切換位置用凹部１３ａと，中立位置用凹部１３ｃと，後側切換位置用凹部１３ｂが、前後方向に一列に並んだ状態にして、順に形成されている。
【００３７】
一方、スライダー４の下面側には、固定接片保持用凹部８に対応して、コンタクト５が、スライダー４と一体移動可能に取り付けられているとともに、図３に示すように、コイルばね収容凹部８に対応して前側作用部４ａが、前端部の位置から下側に向かって突設されている。
【００３８】
ケースカバー３は、金属板材をプレス成形してなり、ケース本体２の上面を覆って、ケース本体２の内部にスライダー４を収容する上記収容室１９を画成する本体部３ａと、この本体部３ａの左右両側から各々下側に向かってほぼ直角に折り曲げられている前後１対の係止片３ｂ，３ｂとを一体に有している。各係止片３ｂ，３ｂの先端部には、ケース本体４の係止爪１０，１０にそれぞれ対応して、１対の係止爪部１６，１６が形成されている。
【００３９】
ケースカバー３の本体部３ａには、ケース本体２内に収容されたスライダー４のつまみ１２と対応する位置に、切欠部１４が、前後方向に延ばされた状態にして形成されている。
【００４０】
また、ケースカバー３の本体部３ａには、スライダー４の前側切換位置用凹部１３ａ，中立位置用凹部１３ｃ，後側切換位置用凹部１３ｂが形成されている列に対応して、下方、すなわちスライダー４側に突出して湾曲させた凸部１５が設けられている。この凸部１５は、スライダー４の前側切換位置用凹部１３ａ，中立位置用凹部１３ｃ，後側切換位置用凹部１３ｂとともに、スライダー４のスライド切り換え操作にクリック感触を与えるディテント機構を構成するものである。
【００４１】
コンタクト５は、導電性板材をプレス成形してなり、図２に示すように、スライダー４の底面に固定される本体部５ａと、この本体部５ａの両端部に各々形成された可動接点５ｂ，５ｂよりなる。可動接点部５ｂ，５ｂは、固定接片保持用凹部８内の固定接片６ａ，６ｂ，６ｄおよび共通固定接片６ｃにそれぞれ弾性的に摺動接触する。
【００４２】
次に、スライドスイッチ１の組み立て手順の一例を説明する。まず、固定接片保持用凹部８内に固定接片６ａ，６ｂ，６ｄおよび共通固定接片６ｃを設けたケース本体２を用意し、このケース本体２のコイルばね収容凹部９内にコイルばね７をセットする。このとき、コイルばね７を、前側位置決め突起１１ａと後側位置決め突起１１ｂとの間に位置させる。
【００４３】
次いで、コンタクト５を下面に取り付けたスライダー４を用意し、このスライダー４を、下面を下側にしてケース本体２の収容室１９内に配置する。
【００４４】
続いて、スライダー４の上側からケースカバー３を被せ、スライダー４のつまみ１２を、切欠部１４よりケースカバー３の外側上方に突出させるとともに、係止片３ａ，３ｂの係止爪部１６，１６を、ケース本体２の係止爪１０，１０に各々掛け止めし、ケースカバー３をケース本体２に固定すると組み立てが完了する。
【００４５】
このように組み立てられたスライドスイッチ１の動作を次に説明する。
このスライドスイッチ１では、図４に示すように、ケースカバー３の凸部１５が、スラ
イダー４の中立位置用凹部１３ｃに対応し、この中立位置用凹部１３ｃ内に落ち込んでいるときがホームポジション（中立位置）となり、コンタクト５は、共通固定接点６ｃと固定接点６ｄとに接触している。
【００４６】
スライダー４を、中立位置から前側切換位置に移動させる場合は、つまみ１２を介して、スライダー４に中立位置から前側切換位置に移動させる操作がなされる。この操作がなされると、スライダー４が移動を開始する。前側切換位置用凹部１３ａがケースカバー３の凸部１５に対応すると、凸部１５が前側切換位置用凹部１３ａ内に落ち込み、前側切換位置に配置された状態になり、操作者にはディテント機構によるクリック感触が付与される。この前側切換位置では、コンタクト５は、共通固定接点６ｃと固定接点６ａとに接触している。また、中立位置から前側切換位置に移動されるとき、スライダー４の前側作用部４ａが、コイルばね７の後端部に当接されて作用結合し、コイルばね７の後端部を前端位置決め突起１ａ側に向かって押し、このコイルばね７を圧縮させて、コイルばね７にスライダー４の自己復帰用の付勢力を生成しながら移動する。
【００４７】
スライダー４を、前側切換位置から中立位置に戻す場合は、つまみ１２を操作していた力を取り除くと、コイルばね７に蓄積されている付勢力で、スライダー４に前側切換位置から中立位置に移動する自動復帰操作がなされる。この操作がなされると、スライダー４が中立位置に向かって移動を開始する。中立位置用凹部１３ｃがケースカバー３の凸部１５に対応すると、凸部１５が中立位置用凹部１３ｃ内に再び落ち込む。これと同時に、コイルばね７の付勢力もなくなり、スライダー４の中立位置に配置されている状態を維持する。
【００４８】
スライダー４を、中立位置から後側切換位置に移動させる場合は、つまみ１２を介して、スライダー４に中立位置から後側切換位置に移動させる操作がなされる。この後側への移動では、コイルばね７の前端部を後端位置決め突起側に向かって押す作用部を、スライダー４に設けていないので、コイルばね７は圧縮されず、コイルばね７にスライダー４の自己復帰用の付勢力を作らない状態で移動が行われる。そして、この移動操作がなされると、スライダー４が移動を開始する。後側切換位置用凹部１３ｂがケースカバー３の凸部１５と対応すると、凸部１５が後側切換位置用凹部１３ｂ内に落ち込み、操作者にディテント機構によるクリック感触が付与され、後側切換位置に配置された状態になる。この切り換え操作では、コイルばね７による自動復帰力は作られないので、つまみ１２を操作している指等を離しても、その位置が保持される。また、この後側切換位置では、コンタクト５は、共通固定接点６ｃと固定接点６ｂとに接触している。
【００４９】
スライダー４を、後側切換位置から中立位置に戻す場合は、コイルばね７による自己復帰力は作られていないので、つまみ１２を介して、手動でスライダー４を後側切換位置から中立位置に移動させる操作がなされる。この操作がなされると、スライダー４が移動を開始し、中立位置用凹部１３ｃがケースカバー３の凸部１５と対応すると、凸部１５が中立位置用凹部１３ｃ内に再び落ち込み、中立位置に配置された状態になり、操作者にはディテント機構によるクリック感触が付与される。
【００５０】
したがって、この実施例１の構造では、自動復帰機能とクリック感触機能を有し、スライダー４を中立位置と前側切換位置と後側切換位置にそれぞれ移動させたとき、その移動された各位置でディテント機構によるクリック感触が得られ、また、中立位置から前側切換位置に移動させ、前側切換位置から中立位置に戻すとき、コイルばね７による付勢力で自己復帰がなされるという、バリエーションを有したスライドスイッチが得られる。
【００５１】
また、本発明のスライドスイッチ１では、スライダー４の形状を一部変更することにより、バリエーションの異なるスライドスイッチが容易に得られる。そして、このバリエー
ションを変えたスライドスイッチを作ることにより、多様化した電子機器で求められている操作感の差別化に対応できるものである。次に、実施例１以外のバリエーションを、実施例２〜６として説明する。なお、実施例２〜実施例６では、スライダー４の形状の一部が異なるだけで、他の構造は同じであるので、同じ構造には同じ符号を付して重複説明はせず、他の実施例と異なる部分だけを説明する。
【実施例２】
【００５２】
図５および図６は実施例２を示し、実施例１の図３および図４に対応する。実施例２は、実施例１の構造におけるライダー４においてその上面に設けられている中立位置用凹部１３ｃと前側切換位置用凹部１３ａとを一つに繋げた形の共通凹部１３ｄを、後側切換位置用凹部１３ｂとともに前後方向に一列に並べて設けた構造をなしている。
【００５３】
次に、実施例２におけるスライドスイッチ１の動作を説明する。
このスライドスイッチ１では、図６に示すように、ケースカバー３の凸部１５が、共通凹部１３ｄの内壁１７ｂと当接しているときがホームポジション（中立位置）になる。
【００５４】
スライダー４を、中立位置から前側切換位置に移動させる場合は、スライダー４に、つまみ１２を介して、中立位置から前側切換位置に移動させる操作がなされると、スライダー４が、コイルばね７を圧縮させて、コイルばね７に自己復帰用の付勢力を生成させながら移動を開始する。共通凹部１３ｄの内壁１７ａがケースカバー３の凸部１５に当接すると、前側切換位置に切り換えられた状態になり、それ以上の移動が行えなくなる。
【００５５】
スライダー４を、前側切換位置から中立位置に戻す場合は、つまみ１２を操作していた力を取り除くと、コイルばね７に蓄積されている自己復帰用の付勢力で、スライダー４が中立位置に向かって移動される。スライダー４が中立位置まで戻されると、共通凹部１３ｄの内壁１７ｂが凸部１５と当接し、同時に、コイルばね７の付勢力もなくなり、凸部１５が内壁１７ｂに当接された状態で保持される。
【００５６】
スライダー４を、中立位置から後側切換位置に移動させる場合は、つまみ１２を介して、スライダー４に中立位置から後側切換位置に移動させる。この後側への移動では、スライダー４に、コイルばね７の後端部を前端位置決め突起側に向かって押す作用部を設けていないので、コイルばね７は圧縮されず、コイルばね７にスライダー４の自己復帰用の付勢力を作らない状態で移動が行われる。前側切換位置用凹部１３ａがケースカバー３の凸部１５に対応すると、凸部１５が前側切換位置用凹部１３ａ内に落ち込み、前側切換位置に配置された状態になり、操作者にはディテント機構によるクリック感触が付与される。
【００５７】
スライダー４を、後側切換位置から中立位置に戻す場合は、コイルばね７による自己復帰力は作られていないので、つまみ１２を介して、手動でスライダー４を後側切換位置から中立位置に移動させる操作がなされる。スライダー４が中立位置まで戻されると、凸部１５が共通凹部１３ｄ内に再び落ち込む。同時に、コイルばね７の付勢力もなくなり、凸部１５が前側内壁１７ｂに当接された状態で保持される。
【００５８】
したがって、この実施例２の構造では、自動復帰機能とクリック感触機能を有し、スライダー４が後側切換位置に移動されたときに、その移動された位置で、ディテント機構によるクリック感触が得られ、また、中立位置から前側切換位置に移動させ、前側切換位置から中立位置に戻すとき、コイルばね７による付勢力で自己復帰がなされるという、バリエーションを有したスライドスイッチが得られる。
【実施例３】
【００５９】
図７および図８は実施例３を示し、実施例１の図３および図４に対応する。実施例３は
、実施例１の構造におけるライダー４において、スライダー４の前側切換位置用凹部１３ａを無くし、代わりに後側切換位置用凹部１３ｂを設けた構造にしている。
【００６０】
実施例３におけるスライドスイッチ１の動作を説明する。
このスライドスイッチ１では、図８に示すように、ケースカバー３の凸部１５が、スライダー４の中立位置用凹部１３ｃに対応して、この中立位置用凹部１３ｃ内に落ち込んでいるときが中立位置になる。
【００６１】
スライダー４を、中立位置から前側切換位置に移動させる場合は、つまみ１２を介して、スライダー４に中立位置から前側切換位置に移動させる操作がなされる。この前側への移動では、スライダー４に、コイルばね７の前端部を後端位置決め突起１ａ側に向かって押す作用部を設けていないので、コイルばね７は圧縮されず、コイルばね７にスライダー４の自己復帰用の付勢力を作らない状態で移動が行われる。そして、前側切換位置用凹部１３ａがケースカバー３の凸部１５と対応すると、凸部１５が前側切換位置用凹部１３ａ内に落ち込み、前側切換位置に配置された状態になり、操作者にディテント機構によるクリック感触が付与される。また、この切り換え操作では、コイルばね７による自動復帰力は作られないので、つまみ１２を操作している指等を離しても、その位置が保持される。
【００６２】
スライダー４を、前側切換位置から中立位置に戻す場合は、コイルばね７による自己復帰力は作られていないので、つまみ１２を介して、手動でスライダー４を前側切換位置から中立位置に移動させる。スライダー４の中立位置用凹部１３ｃがケースカバー３の凸部１５に対応すると、凸部１５が中立位置用凹部１３ｃ内に再び落ち込み、中立位置に配置された状態になり、操作者にはディテント機構によるクリック感触が付与される。
【００６３】
スライダー４を、中立位置から後側切換位置に移動させる場合は、つまみ１２を介して、スライダー４に中立位置から後側切換位置に移動させる。スライダー４に中立位置から後側切換位置に移動させる操作がなされると、後側作用部４ｂがコイルばね７を圧縮させて自己復帰用の付勢力を生成しながら、スライダー４が移動を開始する。後側切換位置用凹部１３ｂがケースカバー３の凸部１５に対応すると、凸部１５が後側切換位置用凹部１３ｂ内に落ち込み、後側切換位置に配置された状態になり、操作者にはディテント機構によるクリック感触が付与される。
【００６４】
スライダー４を、後側切換位置から中立位置に戻す場合は、つまみ１２を操作していた力を取り除くと、コイルばね７に蓄積されている付勢力で、スライダー４に後側切換位置から中立位置に移動する操作がなされる。中立位置用凹部１３ｃがケースカバー３の凸部１５に対応すると、凸部１５が中立位置用凹部１３ｃ内に再び落ち込むと同時に、コイルばね７の付勢力もなくなり、スライダー４は中立位置に配置された状態を維持される。
【００６５】
したがって、この実施例３の構造では、自動復帰機能とクリック感触機能を有し、スライダー４を中立位置と前側切換位置と後側切換位置に移動されたときに、ディテント機構によるクリック感触が得られ、また、中立位置から後側切換位置に移動させ、前側切換位置から中立位置に戻すとき、コイルばね７による付勢力で自己復帰がなされる、バリエーションを有したスライドスイッチが得られる。
【実施例４】
【００６６】
図９および図１０は実施例４を示し、実施例１の図３および図４に対応する。実施例４は、実施例３の構造におけるライダー４において、その上面に設けられている中立位置用凹部１３ｃと後側切換位置用凹部１３ｂとを一つに繋げた形の共通凹部１３ｅを、前側切換位置用凹部１３ａとともに前後方向に一列に並べて設けた構造をなしている。
【００６７】
次に、実施例４におけるスライドスイッチ１の動作を説明する。このスライドスイッチ１では、図１０に示すように、ケースカバー３の凸部１５が、共通凹部１３ｅの前側内壁１８ａと当接しているときがホームポジション（中立位置）になる。
【００６８】
スライダー４を、中立位置から前側切換位置に移動させる場合は、つまみ１２を介して、スライダー４に中立位置から前側切換位置に移動させる。この移動では、スライダー４に、コイルばね７の後端部を前端位置決め突起１ａ側に向かって押す作用部を設けていないので、コイルばね７は圧縮されず、コイルばね７にスライダー４の自己復帰用の付勢力を作らない状態で移動が行われる。前側切換位置用凹部１３ａがケースカバー３の凸部１５に対応すると、凸部１５が前側切換位置用凹部１３ａ内に落ち込み、前側切換位置に配置された状態になり、操作者にはディテント機構によるクリック感触が付与される。
【００６９】
スライダー４を、前側切換位置から中立位置に戻す場合は、コイルばね７による自己復帰力は作られていないので、つまみ１２を介して、手動でスライダー４を前側切換位置から中立位置に移動させる操作がなされる。スライダー４が中立位置まで戻されると、凸部１５が共通凹部１３ｅ内に再び落ち込む。同時に、コイルばね７の付勢力もなくなり、凸部１５が内壁１８ａに当接された状態で保持される。
【００７０】
スライダー４を、中立位置から後側切換位置に移動させる場合は、つまみ１２を介して、スライダー４に中立位置から後側切換位置に移動させる操作がなされると、コイルばね７を圧縮させて自己復帰用の付勢力を生成しながら、スライダー４が移動を開始する。共通凹部１３ｅの内壁１８ｂがケースカバー３の凸部１５に当接すると、後側切換位置に切り換えられた状態となり、それ以上の移動が行えなくなる。
【００７１】
スライダー４を、後側切換位置から中立位置に戻す場合は、つまみ１２を操作していた力を取り除くと、コイルばね７に蓄積されている付勢力で、スライダー４に後側切換位置から中立位置に移動する操作がなされる。スライダー４が中立位置まで戻されると、共通凹部１３ｄの内壁１８ａが凸部１５に当接し、同時に、コイルばね７の付勢力もなくなり、凸部１５が内壁１８ａに当接された状態で保持される。
【００７２】
したがって、この実施例４の構造では、自動復帰機能とクリック感触機能を有し、スライダー４が前側切換位置に移動されたときに、ディテント機構によるクリック感触が得られ、また、中立位置から後側切換位置に移動させ、後側切換位置から中立位置に戻すとき、コイルばね７による付勢力で自己復帰がなされるバリエーションを有したスライドスイッチが得られる。
【実施例５】
【００７３】
図１１および図１２は実施例５を示し、実施例１の図３および図４に対応する。実施例５は、実施例１の構造におけるライダー４において、前後部に前側作用部４ａと後側作用部４ｂとを設けたものである。
【００７４】
この実施例５の構造では、自動復帰機能とクリック感触機能を有し、スライダー４が前側切換位置と後側切換位置にそれぞれ移動されたときに、ディテント機構によるクリック感触が各々得られ、また、中立位置から前側切換位置に移動させ、前側切換位置から中立位置に戻すとき、および中立位置から後側切換位置に移動させ、後側切換位置から中立位置に戻すときに、それぞれコイルばね７による付勢力で自己復帰がなされるという、バリエーションを有したスライドスイッチが得られる。
【実施例６】
【００７５】
図１３および図１４は実施例６を示し、実施例１の図３および図４に対応する。実施例１
の構造におけるライダー４において、その上面に設けられている前側切換位置用凹部１３ａと中立位置用凹部１３ｃと後側切換位置用凹部１３ｂとを一つに繋げた形の共通凹部１３ｆを、前側切換位置用凹部１３ａとともに前後方向に一列に並べて設けた構造をなしている。
【００７６】
この実施例６の構造では、自動復帰機能を有し、スライダー４が中立位置から前側切換位置に移動され、前側切換位置から中立位置に戻されるとき、および中立位置から後側切換位置に移動され、後側切換位置から中立位置に戻れるときに、それぞれコイルばね７による付勢力で自己復帰がなされるという、バリエーションを有したスライドスイッチが得られる。
【００７７】
図１５は、実施例１〜６の構造におけるバレエーションをまとめて示す表である。表中、「○」は「機能あり」を示し、空欄は「機能なし」を示す。図１５からも明かなように、本発明のスライドスイッチでは、スライダーだけを変えることにより、少なくとも６通りのバリエーションを有したスライドスイッチが得られる。
【００７８】
なお、本発明は、本発明の精神を逸脱しない限り種々の改変を為すことができ、そして、本発明が該改変されたものに及ぶことは当然である。
【図面の簡単な説明】
【００７９】
【図１】本発明の第１実施例として示すスライドスイッチの斜視図。
【図２】第１実施例における同上スイッチの分解斜視図。
【図３】図１のＡ−Ａ線断面斜視図。
【図４】図１のＢ−Ｂ線断面斜視図。
【図５】本発明の第２実施例として示すスライドスイッチの断面斜視図で、図１のＡ−Ａ線断面に相当している。
【図６】本発明の第２実施例として示すスライドスイッチの断面斜視図で、図１のＢ−Ｂ線断面に相当している。
【図７】本発明の第３実施例として示すスライドスイッチの断面斜視図で、図１のＡ−Ａ線断面に相当している。
【図８】本発明の第３実施例として示すスライドスイッチの断面斜視図で、図１のＢ−Ｂ線断面に相当している。
【図９】本発明の第４実施例として示すスライドスイッチの断面斜視図で、図１のＡ−Ａ線断面に相当している。
【図１０】本発明の第４実施例として示すスライドスイッチの断面斜視図で、図１のＢ−Ｂ線断面に相当している。
【図１１】本発明の第５実施例として示すスライドスイッチの断面斜視図で、図１のＡ−Ａ線断面に相当している。
【図１２】本発明の第５実施例として示すスライドスイッチの断面斜視図で、図１のＢ−Ｂ線断面に相当している。
【図１３】本発明の第６実施例として示すスライドスイッチの断面斜視図で、図１のＡ−Ａ線断面に相当している。
【図１４】本発明の第６実施例として示すスライドスイッチの断面斜視図で、図１のＢ−Ｂ線断面に相当している。
【図１５】本発明のスライドスイッチにおけるバリエーションを示す図。
【符号の説明】
【００８０】
１      スライドスイッチ
２      ケース本体
３      ケースカバー
４      スライダー
４ａ    前側作用部
４ｂ    後側作用部
５      コンタクト
６ａ    固定接片
６ｂ    固定接片
６ｃ    共通固定接片
６ｄ    固定接点
７      コイルばね
８      固定接片保持用凹部
９      コイルばね収容凹部
１１ａ  前側位置決め突起
１１ｂ  後側位置決め突起
１２    つまみ
１３ａ  前側切換位置用凹部
１３ｂ  後側切換位置用凹部
１３ｃ  中立位置用凹部
１３ｄ  共通凹部
１３ｅ  共通凹部
１３ｆ  共通凹部
１５    凸部
１７ａ  内壁
１７ｂ  内壁
１８ａ  内壁
１８ｂ  内壁
１９    収容室
【図１】
2007323942.tif 000003
【図２】
2007323942.tif 000004
【図３】
2007323942.tif 000005
【図４】
2007323942.tif 000006
【図５】
2007323942.tif 000007
【図６】
2007323942.tif 000008
【図７】
2007323942.tif 000009
【図８】
2007323942.tif 000010
【図９】
2007323942.tif 000011
【図１０】
2007323942.tif 000012
【図１１】
2007323942.tif 000013
【図１２】
2007323942.tif 000014
【図１３】
2007323942.tif 000015
【図１４】
2007323942.tif 000016
【図１５】
2007323942.tif 000017